(57)【特許請求の範囲】
【請求項１】
架空配電線１１の引留個所などに外嵌せしめるべく両側のカバ−部材２により略扁平函体状に形成され、該カバ−部材２の上端縁はヒンジ３を介して開閉自在に連結されると共に、同下端縁および側縁は係止突起６付き係止部材４ａ・４ｂと係止孔７付き係止部材５ａ・５ｂでもって係止自在とされ、かつ、同両側端には各々所要の電線出入口８・１０が形成されてなる絶縁カバ−において、少くとも上記側縁の係止部材４ｂ・５ｂは所要の長さを備えた略半丸棒状に形成され、外側方より間接活線工具１８を構成する一対の把持片２０のくわえ部９の内側の端部を一方の係止部材５ｂの外周面に沿わせつつ基端方向に抱持状に抱圧して、他方の係止部材４ｂの係止突起６を一方の係止部材５ｂの係止孔７に係止せしめるべく構成されてなることを特徴とする、絶縁カバ−。
【発明の詳細な説明】
【０００１】
【発明の属する技術分野】
この発明は、間接活線工法により架空配電線の引留個所などに外嵌して防護せしめる絶縁カバ−に関する。
【０００２】
【従来の技術】
従来より、この種の絶縁カバ−としては、図４及び図５に示すものが知られており、これを同図に基づいて説明する。
即ち、同図中、１は略扁平な変形函体状に形成された合成樹脂製絶縁カバ−で、該絶縁カバ−１は両側のカバ−部材２により二ツ割状に形成されている。３は両側カバ−部材２を開閉作動せしめるべくその上端縁に一体形成されたヒンジ、４ａ・５ａはカバ−部材２の下端縁および一側上端縁を各々係止せしめるべく対向状に突設された方形板状の係止突起６付き係止部材と係止孔７付き係止部材、８はカバ−部材２の一側上端に形成された縁回り電線用出口、１０は同他側下端に形成された架空配電線用入口である。
【０００３】
その他、１１は架空配電線、１２はバイパス電線、１３は電柱、１４は該電柱１３に取付けられた腕木、１５は該腕木１４に取付金具１６を介して取付けられた牽引用碍子、１７は該牽引用碍子１５に取付けられたクランプで、該クランプ１７は架空配電線１１を挾持しつつ所定方向に牽引するものとされている。１８はヤットコ、１９は該ヤットコ１８を構成する絶縁操作棒、２０は該絶縁操作棒１９の先部に把持自在に取付けられた一対の略湾曲状把持片、２１は該把持片２０を枢着せしめる枢軸、９は把持片２０の先端部内面に対向状に形成されたくわえ部である。
【０００４】
上述の如く構成された絶縁カバ−１は、所要の作業台上よりヤットコ１８でもってクランプ１７に外嵌状に取付ける。
即ち、両側のカバ−部材２を開作動せしめ、上方よりクランプ１７を跨いで外嵌せしめると共に、架空配電線１１およびバイパス電線１２を各々所定の出入口８・１０に嵌合せしめる。しかるのち、下方より絶縁操作棒１９でもって操作しつつ、把持片２０のくわえ部９により対応する下端縁および一側縁の係合部材４ａ・５ａを逐次把持しつつ把圧して係止せしめ、絶縁カバ−１をクランプ１７に外嵌状に取付ける（図４、及び図５Ａ・Ｂ参照）。
【０００５】
【発明が解決しようとする課題】
ところで、かかる従来の絶縁カバ−１は、上述の如く各係止部材４ａ・５ａが単に方形板状に形成され、しかも、クランプ１７を跨いだ状態でもって下方よりヤットコ１８により把持しつつ把圧して係止せしめるものであるから、下端縁の係止部材４ａ・５ａについてはともかく、側縁の係止部材４ａ・５ａについては牽引用碍子１５や取付金具１６などが障害物となって係止作業の邪魔となり、その係止作業が非常に面倒で手間がかかり、極めて煩しいのみならず、取付け作業能率を著しく低下せしめるものとなっていた。
【０００６】
この発明は、かかる従来の問題点を解決し、特に側縁の係止部材を極めて容易に、しかも迅速に係止せしめることができ、ひいては、取付け作業を能率よく行うことが出来る絶縁カバ−を提供しようとするものである。
【０００７】
【課題を解決するための手段】
即ち、この発明は、架空配電線１１の引留個所などに外嵌せしめるべく両側のカバ−部材２により略扁平函体状に形成され、該カバ−部材２の上端縁はヒンジ３を介して開閉自在に連結されると共に、同下端縁および側縁は係止突起６付き係止部材４ａ・４ｂと係止孔７付き係止部材５ａ・５ｂでもって係止自在とされ、かつ、同両側端には各々所要の電線出入口８・１０が形成されてなる絶縁カバ−において、少くとも上記側縁の係止部材４ｂ・５ｂは所要の長さを備えた略半丸棒状に形成され、外側方より間接活線工具１８を構成する一対の把持片２０のくわえ部９の内側の端部を一方の係止部材５ｂの外周面に沿わせつつ基端方向に抱持状に抱圧して、他方の係止部材４ｂの係止突起６を一方の係止部材５ｂの係止孔７に係止せしめるべく構成されてなることを特徴とする、絶縁カバ−を要旨とするものである。
【０００８】
【発明の実施の形態】
以下に、この発明を図面に示す一実施例について説明する。
４ｂ・５ｂは絶縁カバ−１を構成する両側カバ−部材２の一側上端縁に対向状に形成された係止突起６付き係止部材と係止孔７付き係止部材で、該係止部材４ｂ・５ｂともヤットコ１８の把持片２０により抱持自在とされた所要の長さを有する略半丸棒状に形成され、外側方より間接活線工具１８を構成する一対の把持片２０のくわえ部９の内側の端部を一方の係止部材５ｂの外周面に沿わせつつ基端方向に抱持状に抱圧して、他方の係止部材４ｂの係止突起６を一方の係止部材５ｂの係止孔７に係止せしめるべく構成されている。その他は従来例と同一であり、同一符号は同一部分を示す。
【０００９】
上述の如く構成された絶縁カバ−１は、従来例と同様に、所要の作業台上よりヤットコ１８でもってクランプ１７に外嵌状に取付ける。即ち、カバ−部材２を開作動せしめた状態でクランプ１７を跨ぎ、架空配電線１１及びバイパス電線１２を所定の出入口８・１０に嵌合して外嵌せしめる。ついで、下方より、下端縁の係止部材４ａ・５ａを把持片２０が上向き状に調整されたヤットコ１８でもって把持しつつ把圧して係止せしめると共に、把持片２０を横向き状に調整せしめたヤットコ１８でもってそのくわえ部９の内側の端部を一側上端縁の一方の係止部材５ｂの外周面に沿わせつつ基端方向、即ち、枢軸２１方向に抱持状に抱圧し、他方の係止部材４ｂの係止突起６を一方の係止部材５ｂの係止孔７に係止せしめる（図３Ａ・Ｂ・Ｃ参照）。このさい、かかる係止部材４ｂ・５ｂはヤットコ１８の把持片２０により抱持自在な所要の長さを有する略半丸棒状に形成されているから、外側方より把持片２０の内周面を係止部材４ｂ・５ｂの外周面にカム作用的に沿わせつつ極めてスム−ズに抱持せしめ、枢軸２１方向に抱圧して係止せしめることが出来るものであって、牽引用碍子１５や取付金具１６などの障害物が存在する架空配電線１１の引留個所などにおいてもその係止作業を極めて容易になし得るものである。
【００１０】
なお、この発明にかかる絶縁カバ−１は、上記架空配電線１１の引留個所のみならず、これに類した個所にも充分適用せしめることが出来るものである。また、上記実施例において、一側上端縁の係止部材４ｂ・５ｂのみがヤットコ１８の把持片２０により抱持自在な所要の長さを有する略半丸棒状に形成されているが、必要に応じて適宜下端縁の係止部材４ａ・５ａを同形状に形成せしめてもよいものである。更に、間接活線工具としてヤットコ１８が示されているが、これに限定されるものでなく、これに類した他の間接活線工具を使用することが出来るものである。
【００１１】
【発明の効果】
この発明によれば以上の次第で、少くとも一側縁の係止部材４ｂ・５ｂが所要の長さを備えた略半丸棒状に形成され、外側方より間接活線工具１８を構成する一対の把持片２０のくわえ部９の内側の端部を一方の係止部材５ｂの外周面に沿わせつつ基端方向に抱持状に抱圧して、他方の係止部材４ｂの係止突起６を一方の係止部材５ｂの係止孔７に係止せしめるべく構成ているから、外側方より、間接活線工具１８を構成する把持片２０の内周面を係止部材４ｂ・５ｂの外周面にカム作用的に沿わせつつ極めてスム−ズに抱持せしめ、その基端方向に抱圧して係止せしめることが出来るものであって、牽引用碍子１５や取付金具１６などの障害物が存在する架空配電線１１の引留個所などにおいてもその係止作業を極めて容易に、しかも、迅速、かつ確実に行うことが出来るものであり、ひいては、絶縁カバ−１の取付け作業を能率よく行うことが出来るものである。また、構造が極めて簡単であり、その製作を極めて容易に、しかも、安価に提供することが出来るものである。
【図面の簡単な説明】
【図１】  この発明の一実施例を示す側面図である。
【図２】  同正面図である。
【図３】  同係止部材４ｂ・５ｂの係止状態を示す一部拡大正面図である。
【図４】  従来例を示す側面図である。
【図５】  同係止部材４ａ・５ａの係止状態を示す一部拡大正面図である。
【符号の説明】
１          絶縁カバ−
２          カバ−部材
３          ヒンジ
４ａ・４ｂ  係止部材
５ａ・５ｂ  係止部材
６          係止突起
７          係止孔
８          縁回り電線用出口
１０        架空配電線用入口
１１        架空配電線
１８        ヤットコ
２０        把持片
【図１】
0003714738.tif 000002
【図２】
0003714738.tif 000003
【図３】
0003714738.tif 000004
【図４】
0003714738.tif 000005
【図５】
0003714738.tif 000006